(57)【要約】【課題】本発明は、車載機器と、それを搭載した自動車に関するもので、安全に後席の状況を確認することができるようにすることを目的とするものである。【解決手段】そして、この目的を達成するために本発明は、車内の後席側に設置される表示部３、４に対応して設けたカメラ６、８で撮影した映像から顔表情認識動作を実行し、次に、この顔表情認識動作で認識された特定表情に対するアイコンを作成し、その後、このアイコンを前席側の表示部１に出力させる構成としたので、例えば、運転者は、アイコン映像により、後席人物の顔表情も安全に確認することが出来、その結果として、安全運転に貢献できるものとなる。【選択図】図１
2015067254.tif 000002
【特許請求の範囲】
【請求項１】
車内の前席側に設置される第１の表示部と、車内の後席側に設置される第２の表示部と、前記第２の表示部に対応して設けられたカメラと、このカメラ、および前記第１、第２の表示部に接続された制御部と、この制御部に接続されたメモリ、映像再生部、電源部とを備え、前記制御部は、前記カメラで撮影した映像から顔表情認識動作を実行し、次に、前記顔表情認識動作で認識された特定表情に対するアイコンを作成し、その後、このアイコンを前記第１の表示部に出力させる構成とした車載機器。
【請求項２】
前記制御部は、特定表情が泣き顔の時には、前記映像再生部から前記第２の表示部に、特定映像と特定音声の少なくとも一方を出力させる構成とした請求項１に記載の車載機器。
【請求項３】
前記制御部は、前記映像再生部から前記第２の表示部に、特定映像と特定音声の少なくとも一方を出力させた後に、前記カメラで撮影した映像からの顔表情認識動作により認識された特定表情が就寝顔の時には、前記映像再生部から前記第２の表示部への出力を停止する構成とした請求項２に記載の車載機器。
【請求項４】
請求項１から３のいずれか一つに記載の車載機器を車内に配置した自動車。
【発明の詳細な説明】
【技術分野】
【０００１】
本発明は、例えば、車内において映像単独、または音声とともに映像を再生する車載機器と、それを搭載した自動車に関するものである。
【背景技術】
【０００２】
車内の運転席前方に、カメラを設置し、運転者の顔を認識することで、エンジンの起動許可をだしたり、運転席の位置を設定したりするものが存在する（例えば下記特許文献１）。
【０００３】
すなわち、メモリに登録した人物しかエンジンを起動できないようにすることで、盗難などが発生しないようにしたものである。
【０００４】
また、登録した人物の運転席位置を自動調整するようにすることで、利便性を高めたものである。
【先行技術文献】
【特許文献】
【０００５】
【特許文献１】特表２００４−５１７５１２号公報
【発明の概要】
【発明が解決しようとする課題】
【０００６】
上記従来例においては、運転席の状態をカメラで検出するもので、その点では、種々の効果を発揮するが、後席の状態を前席、例えば運転者に知らせる機能は設けられていない。
【０００７】
つまり、運転中に、後席の実映像を確認するのは、安全運転の観点から好ましくない。
【０００８】
そこで、本発明は、安全に後席の状況を確認することができるようにすることを目的とするものである。
【課題を解決するための手段】
【０００９】
そしてこの目的を達成するために本発明は、車内の前席側に設置される第１の表示部と、車内の後席側に設置される第２の表示部と、前記第２の表示部に対応して設けられたカメラと、このカメラ、および前記第１、第２の表示部に接続された制御部と、この制御部に接続されたメモリ、映像再生部、電源部とを備え、前記制御部は、前記カメラで撮影した映像から顔表情認識動作を実行し、次に、前記顔表情認識動作で認識された特定表情に対するアイコンを作成し、その後、このアイコンを前記第１の表示部に出力させる構成とし、これにより所期の目的を達成するものである。
【発明の効果】
【００１０】
以上のように本発明は、車内の前席側に設置される第１の表示部と、車内の後席側に設置される第２の表示部と、前記第２の表示部に対応して設けられたカメラと、このカメラ、および前記第１、第２の表示部に接続された制御部と、この制御部に接続されたメモリ、映像再生部、電源部とを備え、前記制御部は、前記カメラで撮影した映像から顔表情認識動作を実行し、次に、前記顔表情認識動作で認識された特定表情に対するアイコンを作成し、その後、このアイコンを前記第１の表示部に出力させる構成としたので、安全に後席の状況を確認することができる。
【００１１】
すなわち、本発明では、車内の後席側に設置される第２の表示部に対応して設けたカメラで撮影した映像から顔表情認識動作を実行し、次に、この顔表情認識動作で認識された特定表情に対するアイコンを作成し、その後、このアイコンを前席側の第１の表示部に出力させる構成としたので、例えば、運転者は、アイコン映像により、後席人物の顔表情も安全に確認することが出来、その結果として、安全運転に貢献できるものとなる。
【図面の簡単な説明】
【００１２】
【図１】本発明の一実施形態の車載機器を自動車の車内に設置した状態を示すブロック図
【図２】同動作フローチャート
【発明を実施するための形態】
【００１３】
以下、本発明の一実施形態を、添付図面を用いて説明する。
【００１４】
（実施の形態１）
図１において、自動車の車内前席に設置された表示部１で、この前席側にはスピーカ２も配置されている。
【００１５】
また、自動車の車内後席にも、右側に表示部３、左側に表示部４が配置されている。
【００１６】
さらに、表示部３に対応してスピーカ５、カメラ６、表示部４に対応してスピーカ７、カメラ８が配置されている。
【００１７】
なお、右側の表示部３、スピーカ５、カメラ６は、右側前席の背面側の中部から上方にかけて配置されている。
【００１８】
また、左側の表示部４、スピーカ７、カメラ８は、左側前席の背面側の中部から上方にかけて配置されている。
【００１９】
制御部９には、表示部１、スピーカ２、表示部３、４、スピーカ５、カメラ６、スピーカ７、カメラ８は接続されている。
【００２０】
この制御部９には、それ以外にも、表示部１でナビゲーションを行うためのＧＰＳ部１０、メモリ１１、再生部１２、電源部１３、操作部１４が接続されている。
【００２１】
操作部１４は、各種設定を行うためのものであり、これは前席側と後席側の両方に設置されている。
【００２２】
また、再生部１２は、映像を表示部１、３、４に出力するためのものであり、そのときの音声はスピーカ２、５、７から出力される。
【００２３】
以上の構成において、運転席には、例えば母親が乗車し、また後席右側にはチャイルドシートが設置され、そこには子供が乗車している状態となっている。
【００２４】
母親は、運転時にも後席の子供のことが気になるので、操作部１４を操作して、子供見守りモードを起動する。
【００２５】
このときには、制御部９により、後席側のカメラ６、８を起動し、これによりチャイルドシートに保持状態となった子供の顔が認識され、また同時に子供の表情も検出される（図２のＳ１）。
【００２６】
なお、このような子供の顔を検出すること、およびその表情を検出する技術は、既に写真を写すデジタルカメラや監視カメラ等で広く知られた技術であるので、説明の煩雑化を避けるために、説明は省略する。
【００２７】
次に、制御部９は、（図２のＳ１）で認識した子供の表情に対応するアイコンをメモリ１１から読み出し（図２のＳ２）、母親が見ているカーナビ画面の一部に出力させる（図２のＳ３）。
【００２８】
つまり、母親は、表示部１に地図情報を表示させた状態で運転を行っているので、この地図の一部（例えば地図を邪魔しない右上）に、（図２のＳ２）で読み出されたアイコンが表示される。
【００２９】
例えば、ニコニコ顔に対応するアイコンが表示部１の一部に表出させられているとき（図２のＳ４）には、母親は、それを運転中に表示部１で確認することが出来るので、安心して運転に集中することが出来る。
【００３０】
また、子供が泣いているときには、表示部１でそれを確認するまでもないことではあるが、このときには、（図２のＳ３）で、なき顔に対応するアイコンが表示部１の一部に表出させられることになる（図２のＳ５）。
【００３１】
母親は、子供が泣いていることに気をもむことになるのであるが、運転中であるので、直ちに対応することは出来ない。
【００３２】
そこで、本実施形態では、制御部９により、再生部１２を起動し、予め設定していた音楽や映像を、後席側の表示部３、４、スピーカ５、７から出力させる（図２のＳ６）。
【００３３】
つまり、音楽と映像によって子供をあやす行動を自動的に起動させるようにしたものである。
【００３４】
したがって、母親は、子供が泣いていることに対して「何の対応（あやす）」もしていないことに対する、気遣いをすることなく、運転に集中することが出来る。
【００３５】
また、制御部９は、このように再生部１２を起動したのちにも、（図２のＳ１、Ｓ２、Ｓ３）が繰り返され、少なくとも（図２のＳ３）で、なき顔に対応するアイコンが出力されている状態では、子供をあやすための音楽と映像が後席側の表示部３、４、スピーカ５、７から出力される。
【００３６】
また、このような（図２のＳ３）で、ニコニコ顔のアイコンが出力されたときには、次には（図２のＳ４）で表示部１にニコニコ顔のアイコンが表示されることになる。
【００３７】
したがって、母親は安心し、運転に集中することが出来る。
【００３８】
また、前回のルーチンで後席側の表示部３、４、スピーカ５、７から、子供をあやす音声と映像が出力されているときには、この状態が継続されるように（図２のＳ７）から、（図２のＳ６）へと移行する。
【００３９】
さらに、このように後席側の表示部３、４、スピーカ５、７から、子供をあやす音声と映像が出力されている状態で、（図２のＳ３）で、就寝顔のアイコンが出力されると、（図２のＳ８）で表示部１にニコニコ顔のアイコンが表示されることになる。
【００４０】
したがって、母親は安心し、運転に集中することが出来る。
【００４１】
また、このときには、次の（図２のＳ９）で、後席側の表示部３、４、スピーカ５、７から、子供をあやす音声と映像が出力されているか、否かの判断が行われる。
【００４２】
そして、このときには子供をあやす音声と映像が出力されているので、子供をあやす音声と映像の出力を停止する（図２のＳ１０）。
【００４３】
つまり、折角寝付いた子供を起こしてはいけないので、子供をあやす音声と映像の出力を停止するのである。
【００４４】
以上のごとく、本実施形態では、車内の後席側に設置される表示部３、４に対応して設けたカメラ６、８で撮影した映像から顔表情認識動作を実行し、次に、この顔表情認識動作で認識された特定表情に対するアイコンを作成し、その後、このアイコンを前席側の表示部１に出力させる構成としたので、例えば、運転者は、アイコン映像により、後席人物の顔表情も安全に確認することが出来、その結果として、安全運転に貢献できるものとなる。
【００４５】
また、前席側の表示部１で確認するのはアイコンであって、これは実映像を確認するよりは、特徴を瞬時に理解することが出来るので、それを注視する必要は無く、この点で安全運転に貢献できるものとなる。
【産業上の利用可能性】
【００４６】
以上のごとく本発明においては、車内の後席側に設置される第２の表示部に対応して設けたカメラで撮影した映像から顔表情認識動作を実行し、次に、この顔表情認識動作で認識された特定表情に対するアイコンを作成し、その後、このアイコンを前席側の第１の表示部に出力させる構成としたので、例えば、運転者は、アイコン映像により、後席人物の顔表情も安全に確認することが出来、その結果として、安全運転に貢献できるものとなる。
【００４７】
したがって、車載機器や、それを搭載した自動車としての活用が期待されるものとなる。
【符号の説明】
【００４８】
１  表示部
２  スピーカ
３  表示部
４  表示部
５  スピーカ
６  カメラ
７  スピーカ
８  カメラ
９  制御部
１０  ＧＰＳ部
１１  メモリ
１２  再生部
１３  電源部
１４  操作部
【図１】
2015067254.tif 000003
【図２】
2015067254.tif 000004